(57)【要約】      （修正有）【課題】使用者がベッドの頭側へ戻るべく自分自身を引き上げるのに使用しうる構成をサイドレールに備える。【解決手段】ベッドなどの使用者支持体は、上体部および上体部に長手方向に隣接する部分を有する関節式デッキを備える。上体部は、横方向に延びる上方旋回軸の回りを前記隣接する部分に対して旋回可能である。上体部は、略平坦な角位置と最大角位置との間の角位置に旋回してもよい。上体部に取り付けられるサイドレール８６は、上体部に対して上向きのグリップ１０２を含む。グリップは、グリップの後方に位置するサイドレール後部１０６と、グリップの前方に位置するサイドレール前部１１０とによって長手方向において挟まれる。サイドレール前部の少なくとも一部は、上体部に対して上向きではない。【選択図】図５
2011019913.tif 000002
【特許請求の範囲】
【請求項１】
上体部および前記上体部に長手方向に隣接する部分を有する関節式デッキと、
前記上体部に取り付けられたサイドレールと
を備え、
前記上体部は、実質的に平坦な角位置と最大角位置の間で、横方向に延びる上方旋回軸回りに前記隣接する部分に対して旋回可能であり、
前記サイドレールは、前記上体部に対して上向きのグリップを含み、前記グリップは、その後方に位置するサイドレール後部と前記グリップの前方に位置するサイドレール前部とによって長手方向において挟まれ、前記サイドレール前部の少なくとも一部は前記上体部に対して上向きでない、
使用者支持体。
【請求項２】
前記デッキ上に支持されるマットレスを備え、前記マットレスは前記デッキから離間した使用者支持面を有し、
前記グリップは、前記サイドレールが展開されると、前記使用者支持面よりも高い位置にある、
請求項１に記載の使用者支持体。
【請求項３】
前記サイドレール後部は、前記グリップと一体化する下向きの後方遷移領域を有する、請求項１に記載の使用者支持体。
【請求項４】
前記サイドレール前部は、前部遷移領域とノーズ部とを備える、請求項１に記載の使用者支持体。
【請求項５】
前記サイドレール前部のうち前記グリップに隣接する部分は上向きではない、請求項１に記載の使用者支持体。
【請求項６】
前記グリップは、有効長を有し、前記上体部が約３５度の向きであるとき、出口面に最も近い前記グリップの先端部が、前記グリップの有効長Ｌの約２倍を超えない距離ＤＥだけ出口面から離間している、請求項２に記載の使用者支持体。
【請求項７】
前記上体部が実質的に平坦な向きである状態で、前記グリップは床面に対して約２６度ないし４５度の間の向きである、請求項１に記載の使用者支持体。
【請求項８】
前記上体部が使用者の出入に好適な向きであるときに、前記グリップは、ベッドに出入りする使用者にとってアクセスし易く且つ使用し易い高さおよび長手方向の位置にある、請求項１に記載の使用者支持体。
【請求項９】
前記好適な向きは約３５度である、請求項８に記載の使用者支持体。
【請求項１０】
前記のグリップの高さおよび長手方向の位置は人体計測データの関数である、請求項８に記載の使用者支持体。
【請求項１１】
前記上体部の向きが約３５度であるとき、前記グリップ向きは床面に対して略平行である、請求項１に記載の使用者支持体。
【請求項１２】
前記上体部の向きが約６５度であるとき、前記グリップは床面に対して下向きの角度をなし、前記下向きの角度は約４５度を超えない、請求項１に記載の使用者支持体。
【請求項１３】
前記グリップは、約１．９ないし約４．１センチメートルの範囲の直径を有する略円形の断面を持つ、請求項１に記載の使用者支持体。
【請求項１４】
前記グリップは前記サイドレールの最も高い境界にある、請求項１に記載の使用者支持体。
【請求項１５】
前記サイドレールは、前記グリップの前記向きよりも急峻な上向きのブースト面を含む、請求項１に記載の使用者支持体。
【請求項１６】
前記ブースト面は、前記グリップに対向し、前記グリップの前方に位置する、請求項１５に記載の使用者支持体。
【請求項１７】
前記グリップと、前記サイドレール前部と、前記ブースト面と、前記サイドレールの本体とが略四角形の開口部を画成する、請求項１６に記載の使用者支持体。
【請求項１８】
前記グリップと、前記サイドレール前部と、前記ブースト面と、前記サイドレールの本体とが、四角形ではない滑らかな形状の開口部を画成する、請求項１６に記載の使用者支持体。
【請求項１９】
前記形状は略円形である、請求項１８に記載の使用者支持体。
【請求項２０】
前記グリップの前記向きよりも急峻な上向きブースト面を備え、前記ブースト面は前記グリップに対向し、前記グリップの前方に位置し、前記グリップと前記サイドレール前部と前記ブースト面とは略円弧を画成する、請求項１に記載の使用者支持体。
【請求項２１】
前記グリップの側面は凹部を有する、請求項１に記載の使用者支持体。
【請求項２２】
前記凹部は、テーパー状の先端部を有する、細長い蛇行した形状である、請求項２１に記載の使用者支持体。
【請求項２３】
前記デッキは三つの連続的に配置された部分を有し、前記隣接する部分は、前記上体部とふくらはぎ部の間に長手方向に介在する中央部である、請求項１に記載の使用者支持体。
【請求項２４】
前記デッキは四つの連続的に配置された部分を有し、前記隣接する部分は座部であり、残りの二つの部分は脚部とふくらはぎ部である、請求項１に記載の使用者支持体。
【請求項２５】
本体と上部レールとを有し、前記上部レールは、下向きの後部遷移領域を有する後部と、前記後部遷移領域の前方に位置する上向きのグリップと、前記グリップより先に延びる上向きでない前部とを含む、病院用ベッドのサイドレール。
【発明の詳細な説明】
【技術分野】
【０００１】
《関連する出願への相互参照》
本出願は、２００９年７月１５日に出願された「格納領域を備えたサイドレール」なる発明の名称の米国仮出願第６１／２２５，９２１号に基づき優先権を主張し、ここにその内容を援用する。
【０００２】
《技術分野》
本発明は、サイドレールを備えたベッドおよび他の使用者支持体に係り、特に使用者の出入りを容易にするサイドレールに関する。
【背景技術】
【０００３】
例えば病院および他の環境において使用されるベッドは、一般的に、デッキと、デッキ上に載置されるマットレスと、サイドレールとを備える。一般的な配置は４つのサイドレールを有する構成であって、一方の頭部サイドレールおよび足部サイドレールはベッドの左側部に沿ってマットレスに隣接し、他方の頭部および足部サイドレールはベッドの右側部に沿ってマットレスに隣接する。一般的に、かかるサイドレールは上げられること（展開されること）または格納されることが可能である。上げられているとき、サイドレールの大部分はマットレス上部より上にあり、ベッドの使用者がマットレスの横の縁の場所を認識しやすくなる。サイドレールが格納されると、サイドレールの上部は、一般にマットレス上部より下になり、それにより使用者はベッドに出入りしやすくなる。入ること及び出ること（以下、合わせて「出入」という）を容易にするため、足部サイドレールは格納され、頭部サイドレールが上げられる。そうすると、使用者はマットレスから出入りする際に頭部サイドレールを支えとすることができる。従って、ベッドには、使用者の出入りを念頭に置いて機能設計されたサイドレールが具備されていることが望ましい。
【０００４】
上述のタイプのベッドは、通常、関節式デッキを備えている。関節式デッキは、普通、三つまたは四つの長手方向に配置されたデッキ部を含む。一つ以上のデッキ部は、横に延びる軸の回りに旋回可能である。ベッドの関節連結および／または使用者の動作により、使用者はベッドの足側端へ移動されうる。従って、使用者がベッドの頭側へ戻るべく自分自身を引き上げるのに使用しうる構成をサイドレールに備えることが有用である。
【発明の概要】
【０００５】
本発明に係るベッドは、上体部および上体部に長手方向に隣接する部分を有する連結可能なデッキを含む。上体部は、横方向に延びる上方旋回軸の回りに上記隣接する部分に対して旋回可能である。上体部は、ほぼ平坦な角位置から最大角位置までの角位置に旋回できる。上体部に取り付けられたサイドレールは、上体部に対して上向きのグリップを含む。グリップは、そのグリップの後方に配置されるサイドレール後部と、上記グリップの前方に配置されるサイドレール前部とによって長手方向に挟まれる。サイドレール前部は、上体部に対して上向きではない。
【０００６】
本発明に係る使用者支持体およびサイドレールの各種実施形態の前述した特徴およびその他の特徴は、以下の詳細な説明および添付図面からより明らかになる。
【図面の簡単な説明】
【０００７】
【図１】出入補助サイドレールを有する病院用ベッドの斜視図である。
【図２】マットレスが載置される４つに分けられた構成のデッキを露出させるよう、マットレスを取り除いた、図１と同様の図である。
【図３】４つに分けられた構成のデッキの概略側面図である。
【図４】３つに分けられた構成のデッキの概略側面図である。
【図５】デッキの上体部が床面に対して約０度の角位置にある、図１のベッドの側面図である。図５Ａは、図５の部分拡大図である。
【図６】デッキの上体部が床面に対して約３５度の角位置にある、図１のベッドの側面図である。
【図７】デッキの上体部が床面に対して約６５度の角位置にある、図１のベッドの側面図である。
【図８】図１の出入補助サイドレールの部分拡大図である。
【図９】出入補助サイドレールのグリップ部の断面図である。
【図１０】他の出入補助サイドレールを示す、図５と同様の側面図である。
【図１１】他の出入補助サイドレールを示す、図６と同様の側面図である。
【図１２】他の出入補助サイドレールを示す、図７と同様の側面図である。
【図１３】別の出入補助サイドレールを示す、図５と同様の側面図である。
【図１４】別の出入補助サイドレールを示す、図６と同様の側面図である。
【図１５】別の出入補助サイドレールを示す、図７と同様の側面図である。
【図１６】出入補助サイドレールの他の変形例を示す平面図である。
【図１７】出入補助サイドレールの他の変形例を示す側面図である。
【発明を実施するための形態】
【０００８】
図１及び２は、病院やその他の医療環境で一般的に使用されるベッド２０を示す。ベッドは、横方向に左側部２２と右側部２４の間に、また、長手方向に頭部端２６と足部端２８の間に広がる。
【０００９】
ベッドは、フレーム３２と、関節式デッキ３４と、デッキ上に支持されるとともにデッキから離間した使用者支持面３８を有するマットレス３６とを含む。マットレスは、ベッドとは別売りで、またはベッドの一部として販売される。さらに図３および図４を参照すると、連結可能なデッキは、通常、三つまたは四つの長手方向に配置されたデッキ部を含む。図２および図３の４つに分けられた構成のデッキは、上体部４４と、座部４６と、大腿部４８と、ふくらはぎ部５０とを含む。上体部と座部とは、集合的に胴体部５４をなす。大腿部とふくらはぎ部とは、集合的に下肢部５６をなす。座部と大腿部とふくらはぎ部とは、集合的に下半身部５８をなす。連結部６２、６４、６６は、上方、中央および下方の横方向に延びる旋回軸をなし、デッキ部の相対的な旋回を可能にする。図４の３つに分けられた構成のデッキは、上体部７２、中央部７４、およびふくらはぎ部７６を含む。連結部７８、８０は、上方および下方の横方向に延びる旋回軸をなし、デッキ部の相対的な旋回を可能にする。いずれの場合においても、上体部４４または７２は、隣接するデッキ部（図３の座部４６または図４の中央部７４）に対して、横方向に延びる旋回軸のうちの一つ（すなわち上方旋回軸６２または７８）の回りに旋回可能である。図５および図７について少し言及すると、上体部は、ほぼ平坦な角位置（図５）と最大角位置（図７）との間で旋回可能である。ここで、平坦な角位置とは床面８４に対して実質的に平行な向きである。最大角位置は床面に対して約６５度である。なお、すべてのデッキ部が旋回可能である必要はない。例えば、図２および図３の座部は旋回しない。さらに、デッキの関節動作中に一つ以上の旋回軸が並進運動してもよい。
【００１０】
またベッドは、４つのサイドレールを含み、頭部サイドレール８６と足部サイドレール８８はベッドの左右側部に沿ってマットレスに隣接する。主に図５ないし図７を参照すると、各頭部サイドレールは、本体９０、上部レール９２、後部ボーダー９１および底部ボーダー９３を含む。各足部サイドレールは、上部外周部９４、下部外周部９６、後方外周部９８、および前方外周部１００を含む。頭部サイドレールは、デッキ上体部に固定されている。その結果として、頭部サイドレールはデッキ上体部と共に旋回する。足部サイドレールは、デッキ部の旋回動作と共に旋回しないようにベッドに固定されている。４つのサイドレールは、上げられ（展開されるとも言う）または格納されることが可能である。上げられると、サイドレールの大部分がマットレス上部より上になり、マットレスの横の縁の位置をベッド使用者が認識しやすくする。図１において、両方の頭部サイドレールおよび左足側のサイドレールはいずれも上げられた位置で示されている。サイドレールが格納されると、サイドレールの上部は一般にマットレス上部より下になり、それにより使用者はベッドから容易に出入りすることができる。図１において、右足端のサイドレールは格納された位置で示されている。使用者が容易に出たり入ったりする（ここでは合わせて「出入」と言う）ことができるように、図１に示すように足部サイドレールは格納され、頭部サイドレールは上げられる。使用者はマットレスから出入中に頭部サイドレールを支えとすることができる。
【００１１】
各頭部サイドレール８６の上部レール９２は、デッキ上体部４４に対して上向きのグリップ１０２を含む。本願明細書においてサイドレールの特徴または一部分に関して使用される場合には、「上向き」とは、上体部がほぼ平坦な位置またはそれに近い状態にあるとき、床面８４に対する特徴部分（例えば、グリップ）の高さが、ベッドの頭部端２６から離れる距離が長くなるに伴って増加することを意味する。これに対応して、「上向き」とは、床面に対するデッキ上体部の角位置にかかわらず、特徴部分（例えば、グリップ）とデッキ上体部との間の距離が、サイドレール後部ボーダー９１から離れる距離が長くなるに伴って増加することを意味する。具体的には、グリップは、（デッキ上体部４４がほぼ平坦である場合には）床面に対して、または、上体部の位置に関わらずデッキ上体部自体に対して約２６度から約４５度までの間の角位置αをなす。上体部が約３５度の角位置をなすとき（図６）、その角位置は使用者の出入りに最も申し分のないとされる位置であって、グリップの向きは床面に対してほぼ平行である。上体部が約６５度の最大位置をなすとき（図７）、グリップは床面に対して約４５度を超えない下向きの角度βをなす。
【００１２】
グリップ１０２は長手方向に、グリップの後方に位置し後部ボーダー９１の方へ長手方向に延びるサイドレール後部１０６に隣接している。サイドレール後部１０６の先端部は、グリップと一体化するとともに下向きである後部遷移領域１０８である。ここにサイドレールの特徴部分または一部分に関して使用される場合には、「下向き」とは、上体部がほぼ平坦な向きまたはそれに近いに状態であるとき、床面８４に対する特徴部分（例えば、後部遷移領域１０８）の高さが、ベッドの頭部端２６から離れる距離が長くなるに伴って減少することを意味する。それに相応して、「下向き」とは、床面に対するデッキ上体部の角位置にかかわらず、特徴部分（例えば、後部遷移領域）とデッキ上体部との間の距離が、サイドレールの後部ボーダー９１から離れる距離が長くなるに伴って減少することを意味する。またグリップは、グリップの前方に位置するサイドレール前部１１０に隣接している。少なくともサイドレール前部の一部分、例えばグリップに隣接する部分は、上向きではない。グリップは、サイドレール後部１０６とサイドレール前部１１０の間に有効長Ｌ（図５Ａ）を有する。
【００１３】
図５ないし図７に示すように、サイドレールの最先端部は出口（または入口）面１１４を画成する（使用者の出入りの際、出入りに利用される側の足部サイドレール８８は、格納すなわち降下された位置にある）。上体部が使用者の出入りに適した向き、例えば約３５度の向きにあるとき（図６）、グリップは、ベッドに出入りする使用者にアクセスし易く且つ使用し易い高さおよび長手方向の位置にある。前記の位置調整は、容易に入手可能な人体計測データにより決定され得る。図示のサイドレールにおいて、出口面に最も近いグリップ先端は、グリップの有効長Ｌの約２倍を超えない距離ＤＥだけ出口面から離れている。距離ＤＥは、床面に平行な方向に取られる。
【００１４】
主に図８を参照すると、グリップの横方向の内側および外側の側面は、テーパー状の終端部１４０を備えた、浅くて細長い蛇行した凹部１３８を有する。凹部は、ベッド使用者にサイドレールのグリップ部の場所に関する触知的ヒントを与える。
【００１５】
図９は、図８の９−９の方向で切り取ったグリップの断面図を示す。グリップはほぼ円形の断面を有し、その直径ＤＧは、使用者がグリップを効果的に使用してベッドに出入りし易いように、人の手の寸法に適合するように選択される。約１．９ないし４．１センチメートル（ｃｍ）の範囲の直径ＤＧが適当な寸法であると考えられる。必要であれば、図示の形状以外の断面形状を用いることができる。
【００１６】
図示の頭部サイドレール８６の前部遷移部は、前部遷移領域１１２とノーズ部１１６を有する。ノーズ部１１６は、両方のサイドレールが上昇位置にあるときに、長手方向に隣り合う足部サイドレール８８の後方外縁部９８と共働してレール間の空間１２６を画成する、頭部サイドレールの一部分である。図５ないし図７から明らかなように、デッキ上体部の向きに応じて、ノーズ部の別の部分が、後方外縁部９８と前記の共働をする。ノーズ部は前部遷移領域１１２の方へ延びて一体化する。ノーズ部と前部遷移領域との連結部すなわち屈曲部１２２は、上に凹の連結部である。すべてのサイドレールが必然的に、顕著に識別可能なノーズ部と前部遷移領域とを備えたサイドレール前部を有するわけではない。さらに、ベッドの各サイドにサイドレール（例えばサイドレール８６）が一つしかないベッドには、ここで述べたノーズ部はない。
【００１７】
レール間の空間には二等分線１２８がある。レール間の空間は、二等分線に直交するように測定して寸法Ｄであり、この寸法は二等分線に沿った距離の関数として変化し得る。国際電気標準会議（International Electrotechnical Commission、IEC）により発行され、本出願の出願日において存在する国際規格では、寸法Ｄは、すくなくとも２５ミリメートル（ｍｍ）で、且つ、６０ｍｍを超えないと規定されている。
【００１８】
また、サイドレールはブースト面１３０を備える。ブースト面はグリップ１０２に対向するとともに、グリップの前方に位置する。図５Ａで最もよく分かるように、ブースト面はグリップの向きαよりも急峻な上向きの角位置σを有する。ブースト面の向きは、（デッキ上体部が実質的に平坦である場合には）床面に対して、または、デッキ上体部の向きにかかわらずデッキ上体部自体に対して、約４３度から約６３度の間である。ベッド使用者は、必要に応じて、手でブースト面を押して、ベッドの頭部端側へ自分を押し上げることができる。
【００１９】
図１０ないし図１２は、前部１１０の上向きでない部分が床面８４に対して実質的に平行である、サイドレールの変形例を示す。
【００２０】
図５ないし図７および図１０ないし図１２に示されるサイドレールのグリップ１０２、前部１１０、ブースト面１３０、および本体９０は、略四角形状の開口部を画成する。側面から見ると、グリップはほぼ直線状の輪郭を有する。図１３ないし図１５に示すほぼ円形といった他の開口部の形状も使用でき、その場合は明らかに非直線状の輪郭を有するグリップが得られる。図１３ないし図１５のサイドレールにおいて、グリップ１０２は、デッキ上体部に平行な座標軸１３４に対して約９０度から約１５０度に亘るセクターＧに対応する。前方遷移領域は、約０度から約９０度に亘るセクターＦに対応する。ブースト面１３０は、約０度から約マイナス９０度に亘るセクターＢに対応する。
【００２１】
使用者がベッドから出入りしようとするとき、図１に示すように、ベッドの左右いずれかの足部サイドレールは格納された位置に置かれるとともに、頭部サイドレールは上げられた位置に置かれる。その結果、グリップ１０２はマットレスの使用者支持面３８よりも高い位置となる。ベッドの横方向において反対側の両サイドレールは上げられた位置にあることが望ましい。デッキ上体部は約３５度旋回しているものの、それ以外の上体部の向きでも使用者の出入りは可能である。デッキのその他の部分は一般に、それらデッキ部を覆うマットレス部の支持面が、ほぼ平坦であり且つ床面にほぼ平行な面をなすように方向付けられる。使用者は、ベッドからの出入りを補助するためにグリップを使用することができる。上体部が約３５度の角位置であると、グリップは床面にほぼ平行であり、患者が出入の際に自分を支えるのに適した向きである。但し、上体部がそれ以外の向きでも、グリップはなお、出入りする人にとってある程度のサポートと補助に役立つ向きである。先に述べたように、使用者は必要に応じてブースト面１３０を使用してベッドの頭部端の方へ自分を押し上げることができる。
【００２２】
図１６及び図１７は、後方遷移領域とグリップの非隣接端の間に長手方向に延在する接続レール１４２を含む、出入補助サイドレールの別の変形例を示す。また接続レールは、ベッド使用者がグリップ１０２にアクセスしやすいように、マットレスとは逆方向に突出する。
【００２３】
ここでは特定の実施形態について述べたが、請求項に記載されている発明から逸脱することなく様々な形態および細部の変更を行うことができることは、当業者に理解される。
【図１】
2011019913.tif 000003
【図２】
2011019913.tif 000004
【図３】
2011019913.tif 000005
【図４】
2011019913.tif 000006
【図５】
2011019913.tif 000007
【図６】
2011019913.tif 000008
【図７】
2011019913.tif 000009
【図８】
2011019913.tif 000010
【図９】
2011019913.tif 000011
【図１０】
2011019913.tif 000012
【図１１】
2011019913.tif 000013
【図１２】
2011019913.tif 000014
【図１３】
2011019913.tif 000015
【図１４】
2011019913.tif 000016
【図１５】
2011019913.tif 000017
【図１６】
2011019913.tif 000018
【図１７】
2011019913.tif 000019
【外国語明細書】
2011019913.tif 000020
2011019913.tif 000021
2011019913.tif 000022
2011019913.tif 000023
2011019913.tif 000024
2011019913.tif 000025
2011019913.tif 000026
2011019913.tif 000027
2011019913.tif 000028
2011019913.tif 000029
2011019913.tif 000030
2011019913.tif 000031
2011019913.tif 000032
2011019913.tif 000033
2011019913.tif 000034
2011019913.tif 000035
2011019913.tif 000036
2011019913.tif 000037
2011019913.tif 000038
2011019913.tif 000039
2011019913.tif 000040
2011019913.tif 000041
2011019913.tif 000042
2011019913.tif 000043
2011019913.tif 000044
2011019913.tif 000045
2011019913.tif 000046
2011019913.tif 000047
2011019913.tif 000048